(57)【要約】【課題】乾湿の影響による変形や寸法変化を抑制でき、それにより、ハンマーの円滑で安定した動作を確保することができるピアノのハンマーシャンクを提供する。【解決手段】鍵１ａの押鍵に伴って回動するハンマー３を構成するピアノのハンマーシャンク２４であって、ハンマーシャンク２４が竹材で構成されている。また、他のハンマーシャンクは、シャンク本体４２（５２）と、シャンク本体４２（５２）の一端部に形成され、互いに対向するとともにフレンジ２３の両側に平行に延び、フレンジ２３に回動自在に支持された二股状の２つの腕部４２ｂ、４２ｂ（５２ｂ、５２ｂ）と、竹材で構成され、２つの腕部４２ｂ、４２ｂ（５２ｂ、５２ｂ）の外側面にそれぞれ取り付けられた変位抑制部材４３、４３（５２ｂ、５２ｂ）と、を備えている。【選択図】図１
2009251055.tif 000002
【特許請求の範囲】
【請求項１】
鍵の押鍵に伴って回動するハンマーを構成するピアノのハンマーシャンクであって、
当該ハンマーシャンクが竹材で構成されていることを特徴とするピアノのハンマーシャンク。
【請求項２】
前記竹材は、合成樹脂を含浸した竹材で構成されていることを特徴とする請求項１に記載のピアノのハンマーシャンク。
【請求項３】
前記竹材の繊維が前記ハンマーシャンクの長さ方向に延びていることを特徴とする請求項１または２に記載のピアノのハンマーシャンク。
【請求項４】
前記竹材は、複数の無垢の竹材を積層した積層竹材で構成されていることを特徴とする請求項１ないし３のいずれかに記載のピアノのハンマーシャンク。
【請求項５】
鍵の押鍵に伴って回動するハンマーを構成し、フレンジに支持されたピアノのハンマーシャンクであって、
木材で構成されたシャンク本体と、
このシャンク本体の一端部に形成され、互いに対向するとともに前記フレンジの両側に平行に延び、当該フレンジに回動自在に支持された二股状の２つの腕部と、
竹材で構成され、前記２つの腕部の互いに対向する方向の変位を抑制するために、当該２つの腕部の外側面にそれぞれ取り付けられた変位抑制部材と、
を備えていることを特徴とするピアノのハンマーシャンク。
【請求項６】
前記変位抑制部材は、合成樹脂を含浸した竹材で構成されていることを特徴とする請求項５に記載のピアノのハンマーシャンク。
【請求項７】
鍵の押鍵に伴って回動するハンマーを構成し、フレンジに支持されたピアノのハンマーシャンクであって、
竹材で構成されたシャンク本体と、
このシャンク本体の一端部に形成され、互いに対向するとともに前記フレンジの両側に平行に延び、当該フレンジに回動自在に支持された二股状の２つの腕部と、
合成樹脂を含浸した竹材で構成され、前記２つの腕部の互いに対向する方向の変位を抑制するために、当該２つの腕部の外側面にそれぞれ取り付けられた変位抑制部材と、
を備えていることを特徴とするピアノのハンマーシャンク。
【発明の詳細な説明】
【技術分野】
【０００１】
本発明は、アコースティックピアノなどにおいて、鍵の押鍵に伴って回動するハンマーを構成するピアノのハンマーシャンクに関する。
【背景技術】
【０００２】
従来、ハンマーシャンクを有するピアノのハンマーとして、例えば特許文献１に記載のものが知られている。このハンマーは、各鍵に対応するように設けられており、ハンマーシャンクフレンジ（以下、単に「シャンクフレンジ」という）に回動自在に支持されている。各ハンマーは、木材で構成された細長い棒状のハンマーシャンクと、このハンマーシャンクの後端部に固定されたハンマーヘッドなどで構成されている。ハンマーシャンクの前端部には、互いに対向し前方に平行に延びる二股状の左右２つの腕部が形成されている。また、シャンクフレンジは、合成樹脂の成形品で構成されており、ハンマーシャンクレールにねじ止めされている。シャンクフレンジの後端部には、後方に突出する係合部が設けられており、この係合部の両側に、ハンマーシャンクの２つの腕部が係合している。また、両腕部および係合部には、ピンが水平に通されており、このピンは、係合部に固定される一方、両腕部に対して回動自在になっている。これにより、ハンマーは、シャンクフレンジと一体のピンを介して、シャンクフレンジに回動自在に支持されている。また、シャンクフレンジの係合部の両側面は、互いに平行に形成されており、ハンマーシャンクの両腕部の内側面に、若干の隙間をもって対向している。
【０００３】
以上の構成により、鍵が押鍵されると、アクションが作動することによって、ハンマーシャンクが突き上げられることにより、ハンマーが上方に回動し、ハンマーヘッドが弦を打弦することによって、ピアノ音が発生する。また、このハンマーの回動時には、ハンマーシャンクが、その両腕部およびシャンクフレンジの係合部で案内されることにより、ハンマーは、左右にぶれることなく回動する。
【０００４】
一般に、木材は、その異方性および不均一性から、湿度や温度、特に前者の変化に伴う乾湿によって、反りや捻れ、さらには収縮や膨張などの変形が生じやすいという特性を有する。そのため、ハンマーシャンクに反りや捻れが発生すると、打弦を適切に行えず、その結果、良好なピアノ音を発生させることができなくなる。また、乾燥による収縮によって、ハンマーシャンクの両腕部間の寸法が小さくなると、両腕部とシャンクフレンジの係合部との間の隙間がなくなり、ハンマーが円滑に回動しないような動作不良（以下「スティック」という）を生じることがある。逆に、湿潤による膨張によって、両腕部間の寸法が大きくなると、両腕部と係合部の間の隙間が広がり、その結果、ハンマーが回動する際に、左右にぶれたり、がたついたりする。これらの場合も、打弦を適切に行えなくなる。
【０００５】
本発明は、以上のような課題を解決するためになされたものであり、乾湿の影響による変形や寸法変化を抑制でき、それにより、ハンマーの円滑で安定した動作を確保することができるピアノのハンマーシャンクを提供することを目的とする。
【０００６】
【特許文献１】特開２００５−７７４５５号公報
【発明の開示】
【課題を解決するための手段】
【０００７】
上記の目的を達成するために、請求項１に係る発明は、鍵の押鍵に伴って回動するハンマーを構成するピアノのハンマーシャンクであって、ハンマーシャンクが竹材で構成されていることを特徴とする。
【０００８】
この構成によれば、鍵の押鍵に伴って回動するハンマーを構成するピアノのハンマーシャンクが、竹材で構成されている。竹材は、ハンマーシャンクの材料として従来用いられる木材に比べて、乾湿の影響を受けにくく、高い形状安定性および寸法安定性を有する。したがって、このような特性を有する竹材で構成されたハンマーシャンクでは、乾湿の影響による変形や寸法変化を抑制することができる。それにより、ハンマーの円滑で安定した動作を確保することができる。
【０００９】
請求項２に係る発明は、請求項１に記載のピアノのハンマーシャンクにおいて、竹材は、合成樹脂を含浸した竹材で構成されていることを特徴とする。
【００１０】
この構成によれば、合成樹脂を含浸した竹材でハンマーシャンクが構成される。合成樹脂を竹材に含浸させることにより、合成樹脂の特性、例えば乾湿の影響を受けることがなく、高い強度および剛性を有するという特性を反映する竹材を得ることができる。したがって、そのような竹材でハンマーシャンクを構成することにより、乾湿の影響による変形や寸法変化をより一層抑制することができる。
【００１１】
請求項３に係る発明は、請求項１または２に記載のピアノのハンマーシャンクにおいて、竹材の繊維がハンマーシャンクの長さ方向に延びていることを特徴とする。
【００１２】
この構成によれば、竹材で構成されたハンマーシャンクにおいて、竹材の繊維がハンマーシャンクの長さ方向に延びている。後述するように、竹材では、乾湿による寸法変化量が、ハンマーシャンクの材料として従来用いられる木材に対し、繊維の長さ方向については同程度であるものの、その方向と直交する方向については約１／２〜１／３であることが実験により確認された。したがって、ハンマーシャンクを、その長さ方向に竹材の繊維が延びるように構成することにより、乾湿の影響によるハンマーシャンクの長さ方向と直交する方向の変形や寸法変化を、従来に比べて大幅に抑制することができる。
【００１３】
請求項４に係る発明は、請求項１ないし３のいずれかに記載のピアノのハンマーシャンクにおいて、竹材は、複数の無垢の竹材を積層した積層竹材で構成されていることを特徴とする。
【００１４】
この構成によれば、複数の無垢の竹材を積層した積層竹材でハンマーシャンクが構成される。竹は通常、中空であるために肉厚が薄く、そのため、竹を長さ方向に沿って切断することなどで得られる無垢の竹材では、厚みや幅が比較的小さい。このため、無垢の竹材のみから所望の形状およびサイズのハンマーシャンクを切り出せないことがある。したがって、ハンマーシャンクを切り出すのに十分な厚みや幅を有する積層竹材を用い、これを切断および／または切削加工することにより、所望の形状およびサイズのハンマーシャンクを容易に得ることができる。
【００１５】
請求項５に係る発明は、鍵の押鍵に伴って回動するハンマーを構成し、フレンジに支持されたピアノのハンマーシャンクであって、木材で構成されたシャンク本体と、このシャンク本体の一端部に形成され、互いに対向するとともにフレンジの両側に平行に延び、フレンジに回動自在に支持された二股状の２つの腕部と、竹材で構成され、２つの腕部の互いに対向する方向の変位を抑制するために、２つの腕部の外側面にそれぞれ取り付けられた変位抑制部材と、を備えていることを特徴とする。
【００１６】
この構成によれば、木材で構成されたシャンク本体の一端部に、互いに対向するとともにフレンジの両側に平行に延びる二股状の２つの腕部が形成され、両腕部がフレンジに回動自在に支持されている。これにより、ハンマーシャンクは、鍵の押鍵に伴い、２つの腕部およびフレンジで案内されながら回動する。また、両腕部の外側面にはそれぞれ、竹材で構成された変位抑制部材が取り付けられている。前述したように、竹材は、乾湿の影響を受けにくく、高い形状安定性および寸法安定性を有している。そのため、竹材で構成された変位抑制部材は、取り付けられた腕部に対し、いわば添え木として機能することで、腕部を拘束し、その結果、両腕部の互いに対向する方向の変位が抑制される。これにより、両腕部間の寸法を安定して維持することができることによって、両腕部の内側面とフレンジの間の隙間の大きさも維持でき、その結果、乾湿によるスティックの発生およびハンマーが回動する際のぶれやがたつきを防止することができる。したがって、ハンマーの円滑で安定した動作を確保することができる。
【００１７】
請求項６に係る発明は、請求項５に記載のピアノのハンマーシャンクにおいて、変位抑制部材は、合成樹脂を含浸した竹材で構成されていることを特徴とする。
【００１８】
この構成によれば、合成樹脂を含浸した竹材で変位抑制部材が構成される。前述したように、例えば乾湿の影響を受けることがなく、高い強度および剛性を有するという特性を反映する竹材を、変位抑制部材として採用することにより、両腕部間の寸法をより一層安定して維持することができる。
【００１９】
請求項７に係る発明は、鍵の押鍵に伴って回動するハンマーを構成し、フレンジに支持されたピアノのハンマーシャンクであって、竹材で構成されたシャンク本体と、このシャンク本体の一端部に形成され、互いに対向するとともにフレンジの両側に平行に延び、フレンジに回動自在に支持された二股状の２つの腕部と、合成樹脂を含浸した竹材で構成され、２つの腕部の互いに対向する方向の変位を抑制するために、２つの腕部の外側面にそれぞれ取り付けられた変位抑制部材と、を備えていることを特徴とする。
【００２０】
この構成によれば、シャンク本体が竹材で構成されているので、前述した請求項１と同様、乾湿の影響による変形や寸法変化を抑制することができる。また、シャンク本体の一端部に形成された２つの腕部の外側面にはそれぞれ、合成樹脂を含浸した竹材で構成された変位抑制部材が取り付けられている。これにより、前述した請求項６と同様、両腕部間の寸法をより一層安定して維持でき、その結果、乾湿によるスティックの発生およびハンマーが回動する際のぶれやがたつきを、より確実に防止することができる。
【発明を実施するための最良の形態】
【００２１】
以下、図面を参照しながら、本発明の好ましい実施形態を詳細に説明する。図１は、本発明の第１実施形態によるハンマーシャンクを用いたグランドピアノの鍵盤１、アクション２およびハンマー３などを、離鍵状態において示している。
【００２２】
鍵盤１は、グランドピアノの左右方向に並んだ多数の鍵１ａ（１つのみ図示）によって構成されている。各鍵１ａは、前後方向（図１の左右方向）に延び、その中央において、棚板上の筬に立設されたバランスピン（いずれも図示せず）を中心として、回動自在に支持されている。
【００２３】
アクション２は、鍵盤１の後部の上方に設けられており、ウィッペン１１、ジャック１２およびレペティションレバー１３などを、鍵１ａごとに備えている。ウィッペン１１は、前後方向に延び、後端部において、ウィッペンフレンジ１４に支持されている。このウィッペンフレンジ１４は、上下方向に延びており、左右方向に間隔を隔てて配置された複数のブラケット１５（図１では１つのみ図示）に渡されたウイッペンレール１６にねじ止めされている。また、ウィッペンフレンジ１４の上端部には、二股状の左右２つの腕部１４ａ、１４ａ（図１では左側のもののみ図示）が設けられている。これらの両腕部１４ａ、１４ａ間には、ウィッペン１１の後端部が係合し、これらにセンターピン１７が水平に通されている。これにより、ウイッペン１１は、センターピン１７を中心として、ウィッペンフレンジ１４に回動自在に支持されている。また、ウィッペン１１の前後方向の中央には、下方に突出するヒール部１１ａが設けられている。ウィッペン１１は、このヒール部１１ａを介して、鍵１ａの後部に設けられたキャプスタンスクリュー１ｂに載置されている。また、ウィッペン１１の前端部には、ジャック１２が支持されている。
【００２４】
ジャック１２は、上下方向に延びるハンマー突上げ部１２ａと、その下端部から前方にほぼ直角に延びるレギュレーティングボタン当接部１２ｂとにより、側面形状がＬ字状に形成されている。ウィッペン１１の前端部には、二股状の左右２つの腕部１１ｂ、１１ｂ（図１では左側のもののみ図示）が設けられている。これらの両腕部１１ｂ、１１ｂ間には、ジャック１２の角部が係合し、これらにセンターピン１８が水平に通されている。これにより、ジャック１２は、センターピン１８を中心として、ウィッペン１１の前端部に回動自在に支持されている。また、ハンマー突上げ部１２ａの上端部は、レペティションレバー１３の後述するジャック案内孔１３ａに係合するとともに、レペティションレバー１３に載置された後述するシャンクローラ２６と若干の間隔を存して対向している。さらに、ジャック１２は、後述するレペティションスプリング２２によって、復帰方向（図１の反時計方向）に付勢されている。
【００２５】
レペティションレバー１３は、斜め前上がりに前後方向に延び、ウィッペン１１の前後方向の中央から上方に突出するレバーフレンジ部２１に支持されている。このレバーフレンジ部２１の上端部には、二股状の左右２つの腕部２１ａ、２１ａ（図１では左側のもののみ図示）が設けられている。これらの両腕部２１ａ、２１ａ間には、レペティションレバー１３の中央部が係合し、これらにセンターピン１９が水平に通されている。これにより、レペティションレバー１３は、センターピン１９を中心として、レバーフレンジ部２１の上端部に回動自在に支持されている。また、レペティションレバー１３は、レバーフレンジ部２１に取り付けられたレペティションスプリング２２によって、復帰方向（図１の反時計方向）に付勢されている。さらに、レペティションレバー１３には、その前部に、上下方向に貫通するジャック案内孔１３ａが形成され、上面のジャック案内孔１３ａ付近に当接するシャンクローラ２６を介して、ハンマー３が載置されている。
【００２６】
図２は、ハンマー３およびこれを支持するシャンクフレンジ２３（フレンジ）を示している。ハンマー３は、前後方向に延びるハンマーシャンク２４、およびその後端部に設けられたハンマーヘッド２５を有しており、ハンマーヘッド２５は、上方に張られた弦Ｓ（図１参照）に対向している。
【００２７】
ハンマーシャンク２４は、竹材で構成され、細長い棒状に形成されている。このハンマーシャンク２４は、例えば、図４に示すような積層竹材３１から、同図の２点鎖線で示すように切り出されたものである。この積層竹材３１は、竹の素材を長さ方向に沿って切断し、板状に加工した後、複数の竹材３１ａを積層させ、接着によって一体化したものである。したがって、上記のように切り出されたハンマーシャンク２４では、その長さ方向に竹材３１ａの繊維が延びており、互いに隣接する竹材３１ａ、３１ａの接合面が、ハンマーシャンク２４においてほぼ垂直となる。なお、詳細な実験データは省略するが、積層竹材３１では、乾湿による寸法変化量が、ハンマーシャンクの材料として従来用いられる木材に対し、以下の実験結果が得られた。
・厚み方向（Ｔ方向）：約１／２
・幅方向  （Ｗ方向）：約１／３
・長さ方向（Ｌ方向）：同程度
【００２８】
なお、積層竹材３１からのハンマーシャンク２４の切出しは、上述した図４と異なり、図５の２点鎖線で示すように行ってもよい。この場合には、互いに隣接する竹材３１ａ、３１ａの接合面が、ハンマーシャンク２４においてほぼ水平となる。また、上記の積層竹材３１以外に、複数の竹材３１ａが上下方向および左右方向に積層された、図６に示す積層竹材３１から、ハンマーシャンク２４を切り出してもよい。
【００２９】
図２および図３に示すように、ハンマーシャンク２４は、前端部の左右方向の幅が他の部分よりも広く形成されるとともに、その前端部の上面および下面が互いに平行な平面で構成されている。なお、以下の説明では、ハンマーシャンク２４（後述するハンマーシャンク４１および５１も含む）の幅の広い前端部を、「拡幅部」と称呼するものとする。
【００３０】
ハンマーシャンク２４の拡幅部２４ａには、二股状の左右２つの腕部２４ｂ、２４ｂが形成されている。両腕部２４ｂ、２４ｂは、互いに左右方向に所定の間隔を隔てて対向し、前方に平行に延びている。各腕部２４ｂには、左右方向に貫通したピン孔２４ｃが形成されており、このピン孔２４ｃに、フェルトで構成された円筒状の軸受２７が取り付けられている。また、拡幅部２４ａの下面には、支持部材２６ａを介して、シャンクローラ２６が取り付けられている。
【００３１】
一方、シャンクフレンジ２３は、合成樹脂の成形品で構成されており、複数のブラケット１５の間に渡されたハンマーシャンクレール２９（図１参照）の上面にねじ止めされている。図３に示すように、シャンクフレンジ２３は、前後方向に延び、断面が矩形状に形成されている。シャンクフレンジ２３の後端部には、ハンマーシャンク２４の両腕部２４ｂ、２４ｂ間の寸法よりも若干小さい幅を有するとともに後方に突出し、両腕部２４ｂ、２４ｂ間に係合する係合部２３ａが設けられている。この係合部２３ａには、左右方向に貫通するピン取付孔２３ｂが形成されている。そして、係合部２３ａが、両腕部２４ｂ、２４ｂ間に、それらの内側面との間に若干の隙間をもって配置された状態で、センターピン２０が、軸受２７、２７およびこれらの間のピン取付孔２３ｂに通されている。センターピン２０は、その中央部がピン取付孔２３ｂに固定されるとともに、両端部が軸受２７、２７に対し回動自在になっている。これにより、ハンマー３は、シャンクフレンジ２３と一体のセンターピン２０を介して、シャンクフレンジ２３に回動自在に支持されている。
【００３２】
以上の構成によれば、図１に示す離鍵状態から鍵１ａが押鍵されると、ウィッペン１１が、キャプスタンスクリュー１ｂを介して突き上げられることにより、センターピン１７を中心として上方に回動するとともに、ジャック１２およびレペティションレバー１３も、それぞれのセンターピン１８および１９を中心として回動する。そして、ハンマー３は、ジャック１２によりシャンクローラ２６を介して突き上げられ、ハンマーシャンク２４の両腕部２４ｂ、２４ｂおよびシャンクフレンジ２３の係合部２３ａで案内されながら、センターピン２０を中心として、図１の時計方向に回動する。これにより、ハンマー３が弦Ｓを打弦し、それによりピアノ音が発生する。
【００３３】
以上のように、本実施形態では、ハンマー３を構成するハンマーシャンク２４が竹材で構成されている。竹材は、ハンマーシャンクの材料として従来用いられる木材に比べて、乾湿の影響を受けにくく、高い形状安定性および寸法安定性を有する。したがって、ハンマーシャンク２４では、乾湿の影響による変形や寸法変化を抑制でき、それにより、ハンマー３の円滑で安定した動作を確保することができる。
【００３４】
また、ハンマーシャンク２４を作製する際に、ハンマーシャンク２４の強度や剛性を高めるための合成樹脂（例えばウレタン系樹脂）を、積層竹材３１に含浸させてから、ハンマーシャンク２４を切り出してもよい。この場合には、ハンマーシャンク２４の強度や剛性をより一層高めることができるとともに、乾湿の影響をより一層受けにくくすることができる。したがって、乾湿の影響による変形や寸法変化をより一層抑制することができる。
【００３５】
図７は、本発明の第２実施形態によるハンマーシャンクの前半部を示している。このハンマーシャンク４１は、前述した第１実施形態のハンマーシャンク２４とほぼ同じ形状およびサイズを有するシャンク本体４２と、このシャンク本体４２の拡幅部４２ａの２つの腕部４２ｂ、４２ｂの外側面にそれぞれ取り付けられた変位抑制部材４３、４３とで構成されている。
【００３６】
シャンク本体４２は、強度が比較的高い堅木（例えばシデ）で構成されている。一方、変位抑制部材４３は、板状の無垢の竹材で構成されており、拡幅部４２ａの外側面とほぼ同じ横長矩形状に形成されるとともに、竹材の繊維が長さ方向に延びている。また、変位抑制部材４３の所定位置には、前記軸受２７が係合する孔４３ａが形成されている。このように構成された変位抑制部材４３は、シャンク本体４２の拡幅部４２ａの両外側面全体にそれぞれ接着されている。
【００３７】
この第２実施形態では、ハンマーシャンク４１の拡幅部４２ａの両外側面に取り付けられた竹材の変位抑制部材４３、４３が、両腕部４２ｂ、４２ｂに対し、いわば添え木として機能することで、両腕部４２ｂ、４２ｂを拘束し、その結果、両腕部４２ｂ、４２ｂの互いに対向する方向の変位が抑制される。これにより、両腕部４２ｂ、４２ｂ間の寸法を安定して維持できることによって、両腕部４２ｂ、４２ｂの内側面とシャンクフレンジ２３の間の隙間の大きさも維持でき、その結果、乾湿によるスティックの発生およびハンマー３が回動する際のぶれやがたつきを防止することができる。したがって、ハンマー３の円滑で安定した動作を確保することができる。
【００３８】
また、上記の変位抑制部材４３を、前述した第１実施形態と同様の合成樹脂を含浸した竹材で構成してもよい。それにより、両腕部４２ｂ、４２ｂ間の寸法をより一層安定して維持することができる。
【００３９】
図８は、本発明の第３実施形態によるハンマーシャンクの前半部を示している。このハンマーシャンク５１は、前述した第２実施形態のハンマーシャンク４１と同様、シャンク本体５２および変位抑制部材５３、５３で構成されている。このシャンク本体５２は、前述した第１実施形態と同様、竹材で構成されている。一方、変位抑制部材５３は、第１実施形態と同様の合成樹脂を含浸した板状の竹材で構成されており、第２実施形態の変位抑制部材４３と同じ形状およびサイズを有している。
【００４０】
この第３実施形態では、シャンク本体５２が竹材で構成されているので、前述した第１実施形態と同様、乾湿の影響による変形や寸法変化を抑制することができる。また、合成樹脂を含浸した竹材で構成された変位抑制部材５３、５３が、両腕部５２ｂ、５２ｂの外側面にそれぞれ取り付けられているので、両腕部５２ｂ、５２ｂ間の寸法をより一層安定して維持することができ、その結果、乾湿によるスティックの発生およびハンマー３が回動する際のぶれやがたつきを、より確実に防止することができる。
【００４１】
なお、本発明は、説明した上記実施形態に限定されることなく、種々の態様で実施することができる。実施形態では、本発明のハンマーシャンク２４、４１、５１をグランドピアノのハンマー３に適用した場合について説明したが、アップライトピアノのハンマーにも、もちろん適用することができる。また、各実施形態で示したハンマーシャンク２４、４１、５１の細部の構成などは、あくまで例示であり、本発明の趣旨の範囲内で適宜、変更することができる。
【図面の簡単な説明】
【００４２】
【図１】本発明の第１実施形態によるハンマーシャンクを用いたグランドピアノの鍵盤、アクションおよびハンマーなどを、離鍵状態において示す側面図である。
【図２】ハンマーおよびハンマーシャンクフレンジを示す斜視図である。
【図３】図２のハンマーシャンクとシャンクフレンジの連結部分を拡大して示す分解斜視図である。
【図４】積層竹材を示す部分斜視図であり、ハンマーシャンクの切出し方法の一例を示す。
【図５】積層竹材を示す部分斜視図であり、ハンマーシャンクの切出し方法の一例を示す。
【図６】他の積層竹材を示す部分斜視図である。
【図７】本発明の第２実施形態によるハンマーシャンクの前半部を示す斜視図である。
【図８】本発明の第３実施形態によるハンマーシャンクの前半部を示す斜視図である。
【符号の説明】
【００４３】
１    鍵盤
１ａ  鍵
３    ハンマー
２３    シャンクフレンジ（フレンジ）
２４    ハンマーシャンク
２４ｂ  腕部
３１    積層竹材
３１ａ  竹材
４１    ハンマーシャンク
４２    シャンク本体
４２ｂ  腕部
４３    変位抑制部材
５１    ハンマーシャンク
５２    シャンク本体
５２ｂ  腕部
５３    変位抑制部材
Ｓ    弦
【図１】
2009251055.tif 000003
【図２】
2009251055.tif 000004
【図３】
2009251055.tif 000005
【図４】
2009251055.tif 000006
【図５】
2009251055.tif 000007
【図６】
2009251055.tif 000008
【図７】
2009251055.tif 000009
【図８】
2009251055.tif 000010